(57)【特許請求の範囲】
【請求項１】
撮像素子で撮像された被写体像及び／又は情報を表示するモニタをカメラ背面に設けた電子スチルカメラにおいて、
カメラ背面に突出し、親指載せ部を含んだ背面グリップを備え、
前記親指載せ部は、前記モニタの斜め上方に配置され、
前記親指載せ部の下方で、前記モニタと背面グリップの間に配置された、前記モニタの表示に基づいた操作をする操作部を備え、
前記操作部の表面は、該操作部よりも上側の部分の前記背面グリップよりも低いこと、
を特徴とする電子スチルカメラ。
【請求項２】
請求項１に記載の電子スチルカメラにおいて、
前記操作部は、操作方向を指定する十字キーであること、
を特徴とする電子スチルカメラ。
【請求項３】
請求項１または請求項２に記載の電子スチルカメラにおいて、
前記操作部は、前記背面グリップの近傍に設けられていること、
を特徴とする電子スチルカメラ。
【請求項４】
請求項１から請求項３のいずれか１項に記載の電子スチルカメラにおいて、
撮影レンズと撮像素子とが設けられた撮像ユニットと、
前記撮像ユニットと回転可能に連結された略直方体形状のモニタユニットと、
撮像素子で撮像された被写体像及び／又は情報を表示し、前記モニタユニットの背面に設けられたモニタと、
情報を表示し、前記モニタユニット上面に設けられた表示部と、
を備えた電子スチルカメラであって、
前記モニタの斜め上方にある親指載せ部と、
前記親指載せ部の上方にあって、かつ、カメラの上面と背面との稜線上に設けられ、前記モニタ及び／又は前記表示部の表示に基づいた操作をするコマンドダイアルと、
前記親指載せ部の下方にあって、ＡＦエリアを設定し、また、操作方向を指定する十字キーと、
前記親指載せ部の左方であって、前記モニタの上方に配置されたズームアップボタン及びズームダウンボタンと、
を備えることを特徴とする電子スチルカメラ。
【発明の詳細な説明】
【０００１】
【発明の属する技術分野】
本発明は、撮像素子で撮像された被写体像を表示するモニタを設けた電子スチルカメラに関するものである。
【０００２】
【従来の技術】
従来から、撮影レンズを通過する被写体像を撮像して画像データを出力するＣＣＤのような撮像装置と、撮像装置から出力される画像データに対してホワイトバランスやγ補正等の画像処理を施す画像処理回路と、画像処理後のデータをＪＰＥＧ等の方式で圧縮してフラッシュメモリ等の記録媒体に記憶する圧縮回路と、画像処理後のデータを表示するカラーＬＣＤ等からなるモニタとを備えたデジタルスチルカメラが知られている。
【０００３】
この種のデジタルスチルカメラとして、撮像素子で撮像された被写体像を表示するモニタをカメラ背面に設け、そのモニタ上に露出補正段数や撮影モードを選択するメニュー画面を表示し、メニュー画面上の項目として露出補正段選択や撮影モード選択を設けたものが知られている。
【０００４】
また、モニタとは別に、光学式のファインダを備え、モニタ表示を行わなくても撮影する構図の確認を行える電子スチルカメラもある。小型の電子スチルカメラでは、搭載する電源容量に限界があるため、一般に消費電力が大きいモニタ表示を行わないことにより、一回の電池交換で撮影可能な枚数を大幅に増やすことができる。
さらに、モニタ表示を切ることができる電子スチルカメラでは、モニタ表示を行わない場合の情報を表示するために、モニタとは別に、単色のＬＣＤ等からなる情報表示部を設けることが行われている。単色のＬＣＤは、モニタに使用される高解像度のカラーＬＣＤに比べて消費電力が非常に小さいので、この表示が電源にかける負担もごくわずかである。
【０００５】
一方、この種のデジタルスチルカメラにおいて、撮影レンズと撮像素子とが設けられた略直方体形状の撮像ユニットと、撮像素子で撮像された被写体像を表示するモニタを背面に備え、撮像ユニットと回転可能に連結された略直方体形状のモニタユニットとを備えたデジタルスチルカメラがある。
【０００６】
撮像ユニットとモニタユニットとを、回転可能に連結して、カメラ本体を２分割する目的は、従来の銀塩カメラと共通のホールディング感覚を持たせつつ（いわゆる、双眼鏡タイプのホールディング方法ではない）、ズーム倍率を大きくするために撮影光学系の光軸長さを確保することである。また、他の目的として、モニタに表示された被写体像を見ながら撮影を行う場合に、撮影アングルの自由度を高くすることがある。例えばモニタ表示を確認しながら、撮影者自身の顔を撮影することも可能となる。
【０００７】
【発明が解決しようとする課題】
しかし、前述した従来の電子スチルカメラは、撮影状態のホールディング性を優先した形状にすると、カメラを自然にホールドした状態で、操作者の指が置かれる位置に操作部材を配置すると、不用意に操作部材が押圧され、誤操作がされてしまうという問題があった。誤操作を防止するために操作部材の位置を、指が触れない位置に配置すると、機能の設定等の、モニタの表示に基づいた操作性が悪くなるという問題があった。特に、小型の電子スチルカメラでは、操作部を配置することができるスペースが少なく、操作性が高く、誤操作のおそれの無い操作部を設けることが困難であった。
また、レリーズボタンを操作し、通常カメラをホールドする手とは、反対側の手で操作する位置に操作部材を配置すると、上記問題は、発生しないが、片手での操作ができなくなるという問題があった。
更に、撮像ユニットとモニタユニットとを、回転可能に連結して、カメラ本体を２分割した電子スチルカメラでは、モニタが配置できる部分が限られてしまうため、操作部材を配置可能な位置が更に少なくなり、ホールディング性と操作性を両立させることが、特に難しかった。
更にまた、モニタとは別に、情報表示部を設けた電子スチルカメラでは、モニタの表示に基づいて操作を行う場合と、情報表示部の表示に基づいて操作を行う場合とがあり、モニタに基づく操作時の操作性を優先すると、情報表示部に基づく操作時の操作性が悪くなるという問題があった。この関係を逆にしても、同様の問題があった。
【０００８】
本発明の課題は、撮影時のホールディング性を良好に保ったまま、モニタの表示に基づいた操作時の操作性も高く、誤操作のない電子スチルカメラを提供することである。
また、本発明の他の課題は、撮影時のホールディング性を良好に保ったまま、モニタ、モニタとは別の情報表示部のいずれに基づく操作であっても操作性が高く、誤操作のない電子スチルカメラを提供することである。
【０００９】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、撮像素子で撮像された被写体像及び／又は情報を表示するモニタ（３０１）をカメラ背面に設けた電子スチルカメラにおいて、カメラ背面に突出し、親指載せ部（３２１ａ）を含んだ背面グリップ（３２１）を備え、前記親指載せ部の下方で、前記モニタと背面グリップの間に配置された、前記モニタの表示に基づいた操作をする操作部（３１６）を備え、前記操作部の表面は、該操作部（３１６）よりも上側の部分の前記背面グリップ（３２１）よりも低いこと、を特徴とする電子スチルカメラである。
【００１０】
請求項２の発明は、請求項１に記載の電子スチルカメラにおいて、前記操作部は、操作方向を指定する十字キー（３１６）であることを特徴とする電子スチルカメラである。
【００１１】
請求項３の発明は、請求項１または請求項２記載の電子スチルカメラにおいて、前記操作部は、前記背面グリップの近傍に設けられていること、を特徴とする電子スチルカメラである。
【００１２】
請求項４の発明は、請求項１から請求項３のいずれか１項に記載の電子スチルカメラにおいて、撮影レンズと撮像素子とが設けられた撮像ユニットと、前記撮像ユニットと回転可能に連結された略直方体形状のモニタユニットと、撮像素子で撮像された被写体像及び／又は情報を表示し、前記モニタユニットの背面に設けられたモニタと、情報を表示し、前記モニタユニット上面に設けられた表示部と、を備えた電子スチルカメラであって、前記モニタの斜め上方にある親指載せ部と、前記親指載せ部の上方にあって、かつ、カメラの上面と背面との稜線上に設けられ、前記モニタ及び／又は前記表示部の表示に基づいた操作をするコマンドダイアルと、前記親指載せ部の下方にあって、ＡＦエリアを設定し、また、操作方向を指定する十字キーと、前記親指載せ部の左方であって、前記モニタの上方に配置されたズームアップボタン及びズームダウンボタンと、を備えることを特徴とする電子スチルカメラである。
【００１６】
【発明の実施の形態】
以下、図面等を参照して、本発明の実施の形態について、更に詳しく説明する。
図１及び図２は、本発明によるデジタルスチルカメラの収納時及び携帯時の外観を示す。図１（ａ）が上面図、図１（ｂ）が背面図、図２（ａ）が正面図、図２（ｂ）が底面図である。
図３は、本発明によるデジタルスチルカメラの右側面図である。
図４は、図１及び図２に示したカメラの通常撮影時の外観斜視図である。
本実施形態によるデジタルスチルカメラは、撮影ズームレンズ１０１を含む撮像ユニット１００とカラーＬＣＤを用いたモニタ３０１を含むモニタユニット３００とに分割され、両ユニット１００、３００が相対的に３００度、すなわち、前方向に２１０度、後方向に９０度回転可能に連結されている。
【００１７】
収納時又は携帯時には、図１及び図２に示すように、撮像ユニット１００とモニタユニット３００がフラットになるように、すなわち、カメラ全体として略直方体形状になるように撮像ユニット１００を回転する。また、通常撮影時には、図４に示すように、撮影ズームレンズ１０１が被写体方向を向くように撮像ユニット１００を前方向に約９０度回転した撮影姿勢をとることができる。このとき、モニタユニット３００は、モニタ３０１が撮影者の方向を向くように保持されるので、撮影者は、光学ファインダのファインダ接眼窓１０４又はモニタ３０１により構図を確認しながら撮影を行うことができる（図６，図７）。
撮影ズームレンズ１０１が撮影者を向くように撮像ユニット１００をカメラ後方方向に９０度回転した撮影姿勢とすることもできる。このときも、モニタ３０１が撮影者の方向を向くので、撮影者は、自分の顔をモニタ３０１で見ながら撮影を行うことができる。
【００１８】
撮像ユニット１００は、図１（ａ）に主に示すように、撮影ズームレンズ１０１の他に電子閃光装置１０２、光学ファインダの対物ファインダ窓１０３、ファインダ接眼窓１０４、外部調光センサ窓１０５、赤目軽減・セルフタイマ表示ランプ１０６等を備えている。
【００１９】
モニタユニット３００の背面ＲＳには、図１（ｂ）に主に示すように、モニタ３０１の他に、画質モードボタン３０４、閃光撮影モードボタン３１３、マニュアルフォーカスモードボタン（以下、ＭＦモードボタン）３１４、ズームアップボタン３０５、ズームダウンボタン３０６、モニタボタン３０７、メニューボタン３０８、セレクタ十字キー３１６が設けられている。
画質モードボタン３０４、閃光撮影モードボタン３１３、ＭＦモードボタン３１４は、モニタ３０１の下方に配置されている。
モニタボタン３０７、メニューボタン３０８は、モニタ３０１の上方に配置されている。
背面ＲＳには、上下方向に延在する背面グリップ３２１が背面方向に突設している。背面グリップの上端部には、カメラをホールドしたときに親指ＴＨ（図４）が自然に位置する部分、すなわちモニタ３０１の斜め上方に、親指載せ部３２１ａが設けられている。
セレクタ十字キー３１６は、親指載せ部３２１ａの下方にあって、その表面が背面グリップ３２１の表面よりも低くなるように設けられ、方向指示入力可能な操作部であり、本実施形態では、４方向の入力が可能なスイッチである。
ズームアップボタン３０５及びズームダウンボタン３０６は、背面グリップ３２１の親指載せ部３２１ａから撮像ユニット１００側にずれた、モニタ３０１の上方に配置されている。
【００２０】
モニタユニット３００の上面ＵＳには、表示パネル３１２、メインスイッチ３１０、レリーズボタン３１１、露出補正ボタン３０２、撮影モードボタン３０３が設けられている。
表示パネル３１２は、モニタ３０１に使用するカラーＬＣＤよりも消費電力が非常に少ない単色のＬＣＤにより、情報を表示する表示部であって、モニタ３０１を使用しない場合であっても、必要な情報を表示する部分である。
露出補正ボタン３０２及び撮影モードボタン３０３は、これらを押しながらコマンドダイアル３１５を操作することにより、それぞれ露出補正の段数、撮影モード（露出モード）を変更するための押しボタンである。
【００２１】
モニタユニット３００の前面ＦＳには、前面グリップ３２２がカメラ前方に突設され、カメラのホールディング性を高める役割を果たし、また、その内部には、図示しないバッテリを収納するバッテリ室が設けられている。
また、モニタユニット３００の前面ＦＳの上方には、柔軟性あるゴム材で作製され、図示しないＡＣ電源端子を覆う電源端子カバー３４１が設けられている。ＡＣ電源端子は、撮影時にも使用する場合があるので、カメラをホールドする手が触れない位置であって、撮像ユニット１００の回転にも影響のない位置にある必要がある。本実施形態のＡＣ電源端子及び電源端子カバー３４１は、この条件を満たす位置として、モニタユニット３００の前面ＦＳの上方に配置されている。
【００２２】
モニタユニット３００の背面ＲＳとモニタユニット３００の上面ＵＳとの稜線上であって、親指載せ部３２１ａの上方には、コマンドダイアル３１５が設けられている。コマンドダイアル３１５は、図２（ａ）の矢印Ｒ方向に回転可能であり、回転方向と回転量に応じた指令信号を出力するロータリスイッチを使用した操作部である。
【００２３】
モニタユニット３００の底面ＤＳには、図２（ｂ）に示すように、モニタユニット３００の本体に設けられたバッテリ室を開閉するバッテリ蓋３３１と、三脚座３３３が設けられている。開閉レバー３３１ａを図２（ｂ）の紙面下方向に操作すると、バッテリ蓋３３１を開くことができる。開閉レバー３３１ａを紙面上方向に操作するとバッテリ蓋３３１がロックされる。
【００２４】
モニタユニット３００の右側面ＲＳＳには、図３に示すように、モニタユニット３００の本体に設けられたコンパクトフラッシュ（以下、ＣＦ）カード装着室を開閉するＣＦカード蓋３３２が開閉可能に設けられている。ＣＦカード蓋３３２は、三脚座３３３が設けられている面と異なる面に設けられているので、三脚座を使用してカメラを固定等した状態であっても、簡単にＣＦカードの交換をすることができる。
また、モニタユニット３００の右側面ＲＳＳの上方には、柔軟性のあるゴム材で作製され、図示しないビデオ端子及びデジタルＩ／Ｏ出力端子を覆う出力端子カバー３４２が設けられている。これらの端子を使用する場合は、カメラを置いて使用する場合が多く、また、仮に手で持つ場合でも、右側面ＲＳＳの下方を保持することができ、コマンドダイアル３１５及びセレクタ十字キー３１６も通常と同じように使用することができる。
【００２５】
次に、本発明に特に関係するスイッチ、ボタン等について詳細に説明する。図１（ａ）に示すように、メインスイッチ３１０がレリーズボタン３１１と同軸に配置され、図示の電源オフ位置（ＯＦＦ）と、完全自動撮影モード位置（Ａ−ＲＥＣ）と、手動設定撮影モード位置（Ｍ−ＲＥＣ）と、再生モード位置（ＰＬＡＹ）に切り換え操作される。
メインスイッチ３１０が完全自動撮影モード位置（Ａ−ＲＥＣ）に切り換え操作されると、電源が投入されて、モニタ３０１が駆動されるとともに、焦点検出動作及び測光動作が開始される。撮影レンズ１０１からカメラ本体内に入射して、図示しない撮像素子上に結像した被写体像は、光電変換されてアナログ画像信号として出力される。この画像信号は、Ａ／Ｄ変換され、画像処理回路により所定の画像処理が行われ、モニタ３０１に表示される。レリーズボタン３１１が全押し操作されて、不図示の全押しスイッチがオンすると、そのとき撮像素子で撮像されている画像は、新たに画像処理回路に取り込まれ、所定の画像処理を施されてＣＦカードに記録される。完全自動撮影モードでは、常時焦点検出動作と測光動作が行われ、露出モードは、いわゆるプログラムモードである。
【００２６】
手動設定撮影モード（Ｍ−ＲＥＣ）では、メニューボタン３０８が操作されると、モニタ３０１にメニュー画面が表示される。メニュー画面では、測光方式や連写撮影等が設定され、設定操作は、コマンドダイアル３１５又はセレクタ十字キー３１６を使用して行われる。
また、手動設定撮影モードでは、露出補正ボタン３０２を操作しながらコマンドダイアル３１５が操作されると、被写体輝度に応じて決定される適正露出値を所定量シフトする露出補正値が設定される。
更に、手動設定撮影モードでは、撮影モードボタン３０３を押しながらコマンドダイアル３１５が操作されると、プログラムモード（Ｐ）、絞り優先モード（Ａ），シャッタスピード優先モード（Ｓ）のいずれかを設定できる。プログラムモードが設定されると、プログラム線図に基づいた露出値設定を行う。絞り優先モードが設定されると、設定した絞り値を優先してシャッタスピードが決定される。シャッタスピード優先モードが設定されると、設定したシャッタスピードを優先して絞り値が決定される。
これら、露出補正ボタン３０２、撮影モードボタン３０３を使用した操作時の表示は、モニタ３０１及び表示パネル３１２の双方に表示される。
【００２７】
本実施形態のデジタルスチルカメラは、ＡＦ測距エリアが５点あり、手動撮影モードでは、モニタ３０１上の表示に基づき、セレクタ十字キー３１６を操作することにより、任意のＡＦ測距エリアを選択することができる。
【００２８】
次に、手動設定撮影モード及び完全自動撮影モードにおいて、共通して行われる操作について説明する。
モニタ３０１が駆動している状態でモニタボタン３０７を操作すると、モニタ３０１の駆動が停止して表示が消え、消費電力を抑えた撮影が可能になる。この場合、光学式ファインダで被写体を観察しながら撮影することができ、必要最小限の情報は、表示パネル３１２に表示される。
尚、モニタ３０１の表示が消えている状態でモニタボタン３０７を操作するとモニタ３０１の表示が開始される。
【００２９】
画質ボタン３０４を操作しながらコマンドダイアル３１５が操作されると、画質を決定する圧縮率が選択されて設定される。
また、閃光撮影モードボタン３１３を操作しながらコマンドダイアル３１５が操作されると、ＩＳＯ感度を設定することができる。
更に、ＭＦモードボタン３１４を操作しながらコマンドダイアル３１５が操作されると、マニュアルフォーカスの設定をすることができる。
これら、画質ボタン３０４、閃光撮影モードボタン３１３、ＭＦモードボタン３１４を使用した操作時の表示は、モニタ３０１及び表示パネル３１２の両方に表示される。
ズームアップボタン３０５又はズームダウンボタン３０６が操作されると、撮影ズームレンズ１０１の焦点距離が変更される。
【００３０】
メインスイッチ３１０の切換操作により再生モード（ＰＬＡＹ）に切り換えられると、ＣＦカードに既に記録されている画像がモニタ３０１に表示される。この状態でメニューボタン３０８を操作すると、ＣＦカードに記録されている画像の削除、サムネイル表示等の処理を指示することができる。
再生モード時には、セレクタ十字キー３１６では、再生画の切替、拡大再生時の画面スクロール、メニュー設定等を行い、コマンドダイアル３１５では、サムネイル表示のページ単位切替、メニュー設定等を行う。
また、再生モード時には、閃光撮影モードボタン３１３、ＭＦモードボタン３１４の機能は撮影モード時と異なる。すなわち、閃光撮影モードボタン３１３は、サムネイル表示ボタンとして、ＭＦモードボタン３１４は、画像削除ボタンとして使用される。
【００３１】
以上説明したコマンドダイアル３１５及びセレクタ十字キー３１６を使用した操作とモニタ３０１の表示及び表示パネル３１２の表示との関係を表１に示す。
【００３２】
【表１】
0004892125.tif 000002
【００３３】
セレクタ十字キー３１６は、親指載せ部３２１ａの下方にあって、その表面が背面グリップ３２１の表面よりも低くなっているので、図４から図６に示すようにカメラをホールドした場合に、不用意に操作してしまう心配がない。特に、図６に示すように、光学式ファインダのみを利用して撮影する場合などは、セレクタ十字キー３１６を操作する必要がないので、セレクタ十字キー３１６を全く意識せずに、撮影に専念することができる。
一方、図７に示すように、モニタ３０１を確認しながら撮影を行う場合において、例えば、ＡＦ測距エリアの設定等を行うときには、親指ＴＨ２のように、親指載せ部３２１ａから、わずかに下方へずらすだけで、セレクタ十字キー３１６を操作することができる。このとき、他の指は、移動する必要がないので、カメラのホールドを確実にしたままで、操作をすることができることに加えて、片手での操作も可能である。また、モニタ３０１を確認する場合は、図７に示すように、モニタユニット３００を斜めにして持つことが多く、このときには、親指ＴＨ２を移動するよりも、モニタユニット３００を斜めに回転移動することにより、更に自然に親指ＴＨ２がセレクタ十字キー３１６上に来て、操作をすることができる。尚、この操作は、再生時にセレクタ十字キー３１６を操作する場合も同様である。
【００３４】
コマンドダイアル３１５は、親指載せ部３２１ａの上方に設けられているので、親指ＴＨ３をわずかに上方へずらすだけで、コマンドダイアル３１５の操作が可能である。このとき、他の指は、移動する必要がないので、カメラのホールドを確実にしたままで、操作をすることができ、さらに、片手での操作も可能である。また、図１（ａ）等に示すように、撮影中に操作する可能性が高く、コマンドダイアル３１５と同時に操作する露出補正ボタン３０２、撮影モードボタン３０３は、レリーズボタン３１１の後方であって、コマンドダイアル３１５の前方に配置されているので、図９に示すように、人差し指ＦＦを人差し指ＦＦ２の位置に移動し、親指ＴＨ３を上方に移動するだけで、操作することができる。したがって、カメラを確実にホールドしたまま操作できることに加えて、片手での操作も可能である。
また、コマンドダイアル３１５は、モニタユニット３００の背面ＲＳとモニタユニット３００の上面ＵＳとの稜線上にあるので、モニタ３０１又は表示パネル３１２のいずれを確認しながら操作しても、操作がしやすく、モニタ３０１の表示を行う場合の操作だけでなく、モニタ３０１の表示を切り、表示パネル３１２のみに表示を行う場合であっても、各種設定を円滑に行うことができる。
【００３５】
上述したように、ズームアップボタン３０５及びズームダウンボタン３０６は、背面グリップ３２１の親指載せ部３２１ａから撮像ユニット１００側にずれて、モニタ３０１の上方に配置されている。したがって、撮影者が右手で前面グリップ３２２と背面グリップ３２１をホールドしたとき、図４に示すように、右手の親指ＴＨが背面グリップ３２１の親指載せ部３２１ａにあるときでも、誤ってズームアップボタン３０５及びズームダウンボタン３０６を操作するおそれがない。また、ズームアップボタン３０５又はズームダウンボタン３０６を操作する場合にも、親指ＴＨの移動がわずかで済み、快適に操作をすることができる。
【００３６】
このように、親指載せ部３２１ａの周辺に、コマンドダイアル３１５、セレクタ十字キー３１６、ズームアップボタン３０５及びズームダウンボタン３０６を３方向に分けて配置したので、カメラを確実にホールドしたまま、各々を誤操作することなく、操作することができる。
【００３７】
前述したように、画質モードボタン３０４、閃光撮影モードボタン３１３、ＭＦモードボタン３１４は、モニタ３０１の下方に配置されている。したがって、撮影者は、モニタ３０１で被写体像を見ながら、画質モードボタン３０４、閃光撮影モードボタン３１３、ＭＦモードボタン３１４を操作するとき、操作する指でモニタ３０１を覆うことがない。
モニタボタン３０７及びメニューボタン３０８は、モニタ３０１の上方に配置されているが、撮影時におけるこれらのボタン操作の頻度は、画質モードボタン３０４、閃光撮影モードボタン３１３、ＭＦモードボタン３１４に比べて低く、また、これらを操作しながらコマンドダイアル３１５を操作することもないので、モニタ３０１の表示が覆われることによる問題はない。
【００３８】
（変形形態）
以上説明した実施形態に限定されることなく、種々の変形や変更が可能であって、それらも本発明の均等の範囲内である。
【００３９】
（１）本実施形態において、撮影レンズがズームレンズであり、ズームアップボタン３０５及びズームダウンボタン３０６を有した例を示したが、これに限らず、例えば、２焦点等のレンズであって、焦点切替ボタンを設けてもよいし、単焦点レンズであって、ズームアップボタン３０５及びズームダウンボタン３０６に相当するボタンを配置しなくてもよい。
【００４０】
（２）本実施形態において、撮像ユニット１００とモニタユニット３００とが分離している例を示したが、これに限らず、分離していないひとつの本体ユニットであってもよい。
【００４１】
（３）本実施形態において、コマンドダイアル３１５は、モニタユニット３００の上面ＵＳに露出している例を示したが、これに限らず、操作する指が触れる部分のみを外部に露出し、他の部分を外装部品等で覆って隠しても良い。
【００４２】
（４）本実施形態において、モニタユニット３００の背面ＲＳには、セレクタ十字キー３１６を設けた例を示したが、これに限らず、例えば、コマンドダイアル３１５と同様なロータリスイッチ、又は、円周状に配置された複数の分割スイッチを設けてもよい。
【００４３】
【発明の効果】
以上詳しく説明したように、請求項１の発明によれば、モニタの斜め上方ある親指載せ部を含んだ背面グリップを備え、親指載せ部の下方にモニタの表示に基づいた操作をする操作部を備えるので、カメラのホールディング性を損なうことなく、操作性の高い操作部をとすることができる。
【００４４】
請求項２の発明によれば、操作部は、操作方向を指定する十字キーであるので、モニタ表示に基づく操作を簡単にすることができる。
【００４５】
請求項３の発明によれば、背面グリップを備え、操作部の表面は、背面グリップよりも低くしたので、不用意に操作部に触れることが無く、誤操作等をすることが無くなる。
【００４６】
請求項４の発明によれば、モニタの斜め上方にある親指載せ部と、親指載せ部の上方にあって、かつ、カメラの上面と背面との稜線上に設けられ、モニタ及び／又は表示部の表示に基づいた操作をする操作部を備えるので、モニタ、表示部のいずれの表示に基づいた操作であっても、操作性の高い操作部とすることができる。
【００４７】
請求項５の発明によれば、操作部は、ロータリスイッチであるので、モニタ表示又は表示部の表示に基づく操作を簡単にすることができる。
【００４８】
請求項６の発明によれば、レリーズボタンよりもカメラ背面側のカメラ上面にあって、操作部により選択する機能を指定する押しボタンを備えるので、カメラのホールディング性を損なうことなく、多くの操作を簡単な操作で行うことができる。
【００４９】
請求項７の発明によれば、撮像ユニットと、撮像ユニットと回転可能に連結され、略直方体形状のモニタユニットとを備えるので、撮影姿勢が変化しても、操作部の操作性を高くすることができる。
【図面の簡単な説明】
【図１】本発明によるデジタルスチルカメラの収納時及び携帯時の上面及び背面の外観を示す図である。
【図２】本発明によるデジタルスチルカメラの収納時及び携帯時の正面及び底面の外観を示す図である。
【図３】本発明によるデジタルスチルカメラの収納時及び携帯時の右側面の外観を示す図である。
【図４】通常撮影時の外観斜視図である。
【図５】通常撮影時の背面図である。
【図６】光学式ファインダを使用した撮影時の操作状態を示す右側面図である。
【図７】モニタ３０１を確認しながらの、撮影時又は再生時の操作状態を示す図である。
【図８】図７の矢印Ａ方向から見た図である。
【図９】コマンドダイアル３１５の操作状態を示す図である。
【符号の説明】
１００  撮像ユニット
１０１  撮影ズームレンズ
３００  モニタユニット
３０１  モニタ
３０２  露出補正ボタン
３０３  撮影モードボタン
３０４  画質モードボタン
３０５  ズームアップボタン
３０６  ズームダウンボタン
３１０  メインスイッチ
３１１  レリーズボタン
３１２  表示パネル
３１５  コマンドダイアル
３１６  セレクタ十字キー
３２１  背面グリップ
３２１ａ  親指載せ部
【図１】
0004892125.tif 000003
【図２】
0004892125.tif 000004
【図３】
0004892125.tif 000005
【図４】
0004892125.tif 000006
【図５】
0004892125.tif 000007
【図６】
0004892125.tif 000008
【図７】
0004892125.tif 000009
【図８】
0004892125.tif 000010
【図９】
0004892125.tif 000011